(57)【特許請求の範囲】
【請求項１】
第１刃部および第２刃部が第１軸部によって軸支されると共に、当該第１軸部の軸中心と直交する第１仮想平面に沿って当該第１刃部および当該第２刃部を開閉可能に構成された鋏本体と、
第１取っ手部および第２取っ手部が第２軸部によって軸支されると共に、当該第２軸部の軸中心と直交し、かつ前記第１仮想平面と平行な第２仮想平面に沿って当該第１取っ手部および当該第２取っ手部を開閉可能に構成された操作部と、
前記第１仮想平面および前記第２仮想平面と交差する向きに沿って配設されると共に下端部が前記第１刃部に固定され、かつ上端部が前記第１取っ手部に固定された第１連結部と、
前記第１仮想平面および前記第２仮想平面と交差する向きに沿って配設されると共に下端部が前記第２刃部に固定され、かつ上端部が前記第２取っ手部に固定された第２連結部とを備え、
前記第１軸部の軸中心と前記第２軸部の軸中心とが単一の軸線上に位置するように前記鋏本体および前記操作部が配置されて前記第１連結部および前記第２連結部によって連結されている草刈り鋏。
【請求項２】
前記第１連結部が前記第１刃部から取り外し可能に当該第１刃部に固定されると共に、前記第２連結部が前記第２刃部から取り外し可能に当該第２刃部に固定されている請求項１記載の草刈り鋏。
【発明の詳細な説明】
【技術分野】
【０００１】
本発明は、一対の刃部が軸部によって軸支されて両刃部を開閉させることによって草木を切断可能に構成された草刈り鋏に関するものである。
【背景技術】
【０００２】
庭や畑などに生えた草や小木（以下、「草木」ともいう）の除去に際しては、草刈り鎌を使用して手作業で刈り取ったり、エンジンやモータ等を動力源とする草刈り機を使用して刈り取ったり、除草剤を散布して草木を枯らせたりする方法が一般的に採用されている。しかしながら、草刈り鎌を使用した刈り取り作業は、しゃがみ込んだ低い作業姿勢を強いられるため、長時間に亘る作業が大きな負担となっている。また、草刈り機を使用した刈り取り作業は、手作業で刈り取るのと比較して草木を容易に除去できるものの、操作に不慣れな者にとって草刈り機の取り扱いが困難であるばかりでなく、燃料（または、電力）を要すると共に、大きな騒音が発生するという問題点がある。さらに、除草剤を散布する方法は、辛い作業姿勢を強いられたり、燃料等を必要としたり、大きな騒音が発生したりすることなく草木を除去することができるものの、除去対象ではない植物までもが枯れてしまうことがあると共に、散布してから草木が枯れるまでにある程度の時間を要するという問題点がある。
【０００３】
一方、特開平８−１１６７８７号公報には、立ち姿勢で刈り取り作業を行うことができるように構成された草刈り鋏（草刈鋏）が開示されている。この草刈り鋏は、一対の鋏刃体がカシメ軸によって回転自在にカシメ止めされる（軸支される）と共に、中空材（パイプ）によって形成された柄部が両鋏刃体にそれぞれ取り付けられている。また、この草刈り鋏では、上記の両鋏刃体が平面視Ｘ字状に交差させられると共に、その交差部位に配設されたカシメ軸を回動中心として両鋏刃体を開閉させることができるように構成されている。さらに、この草刈り鋏では、上記の両柄部が正面視Ｘ字状に交差させられると共に、その交差部位に配設された軸ピンによって軸支され、かつ、両柄部の先端部（下端部）が上記の両鋏刃体の基端部に連結部品を介してそれぞれ連結されている。
【０００４】
この場合、この草刈り鋏では、両鋏刃体を開状態に操作したとき、および閉状態に操作したときの両操作状態において、正面視における柄部の下端部と鋏刃体とのなす角度が変化する。したがって、この草刈り鋏では、柄部の下端部と鋏刃体とのなす角度の変化を許容するために、側面視において、柄部の下端部の延在方向に直交し、かつ両柄部を軸支している上記の軸ピンの軸線と平行な向きの軸線を有する回転軸を備えて両連結部品が構成されている。このため、この草刈り鋏では、両柄部の上端部側を互いに離間させるように開状態に操作することで両柄部の下端部が互いに離間し、これにより、両鋏刃体の基端部側が互いに離間させられることで両鋏刃体の先端部側（刃先側）が互いに離間して開状態に操作されると共に、両柄部の上端部側を互いに接近させるように閉状態に操作することで両柄部の下端部が互いに接近し、これにより、両鋏刃体の基端部側が互いに接近させられることで両鋏刃体の先端部側（刃先側）が互いに接近して閉状態に操作されるため、両柄部を十分な長さ（高さ）にしておくことで、両柄部の上端部側を握った立ち姿勢のままで、除去対象の草木の根元に位置させた両鋏刃体によってこれを刈り取ることが可能となっている。
【先行技術文献】
【特許文献】
【０００５】
【特許文献１】特開平８−１１６７８７号公報（第３−５頁、第１−１６図）
【発明の概要】
【発明が解決しようとする課題】
【０００６】
ところが、従来の草刈り鋏には、以下の問題点が存在する。すなわち、従来の草刈り鋏では、開状態および閉状態の両操作状態への移行時に、正面視における柄部の下端部と鋏刃体とのなす角度の変化を許容するために、両連結部品が回転軸を備えて構成されている。この場合、この種の草刈り鋏を使用した草刈り作業時には、切断された草木の小片（切り屑）、土および砂など（以下、これらを総称して「異物」ともいう）が草刈り鋏の各部に付着する。また、草刈り鋏の可動部に大量の異物が付着したときには、摺動抵抗が大きくなって開状態および閉状態への操作に大きな力を要することとなる。したがって、この種の草刈り鋏の使用時には、可動部に付着した異物を除去したり、可動部に注油したりするなどのメンテナンス作業が必須となっている。
【０００７】
一方、従来の草刈り鋏では、前述したように、両鋏刃体を軸支するカシメ軸の部位、両柄部を軸支する軸ピンの部位、および鋏刃体と柄部とを連結している両連結部品に設けられた回転軸の部位の計４カ所の可動部を備えている。このため、従来の草刈り鋏では、異物の除去や注油を必要とする可動部の数が多いことに起因して、メンテナンス作業が非常に煩雑となっているという問題点がある。また、従来の草刈り鋏では、上記のように可動部の数が多いことで、その部品点数が多数となっており、これに起因して、その製造コストの低減が困難になっているという問題点もある。
【０００８】
本発明は、かかる問題点に鑑みてなされたものであり、メンテナンス作業を容易に実施することができ、しかもその製造コストを十分に低減し得る草刈り鋏を提供することを主目的とする。
【課題を解決するための手段】
【０００９】
上記目的を達成すべく請求項１記載の草刈り鋏は、第１刃部および第２刃部が第１軸部によって軸支されると共に、当該第１軸部の軸中心と直交する第１仮想平面に沿って当該第１刃部および当該第２刃部を開閉可能に構成された鋏本体と、第１取っ手部および第２取っ手部が第２軸部によって軸支されると共に、当該第２軸部の軸中心と直交し、かつ前記第１仮想平面と平行な第２仮想平面に沿って当該第１取っ手部および当該第２取っ手部を開閉可能に構成された操作部と、前記第１仮想平面および前記第２仮想平面と交差する向きに沿って配設されると共に下端部が前記第１刃部に固定され、かつ上端部が前記第１取っ手部に固定された第１連結部と、前記第１仮想平面および前記第２仮想平面と交差する向きに沿って配設されると共に下端部が前記第２刃部に固定され、かつ上端部が前記第２取っ手部に固定された第２連結部とを備え、前記第１軸部の軸中心と前記第２軸部の軸中心とが単一の軸線上に位置するように前記鋏本体および前記操作部が配置されて前記第１連結部および前記第２連結部によって連結されている。
【００１０】
また、請求項２記載の草刈り鋏は、請求項１記載の草刈り鋏において、前記第１連結部が前記第１刃部から取り外し可能に当該第１刃部に固定されると共に、前記第２連結部が前記第２刃部から取り外し可能に当該第２刃部に固定されている。
【発明の効果】
【００１１】
請求項１記載の草刈り鋏によれば、第１刃部および第２刃部を軸支する第１軸部の軸中心と、第１取っ手部および第２取っ手部を軸支する第２軸部の軸中心とが単一の軸線上に位置するように鋏本体および操作部を配置して第１連結部および第２連結部によって連結したことにより、鋏本体および操作部が開状態および閉状態の両状態において、正面視における第１連結部と第１刃部とのなす角度、および正面視における第２連結部と第２刃部とのなす角度が変化しないため、鋏本体に対する両連結部の固定部位に可動部を設ける必要がなくなる結果、草刈り鋏全体としての可動部の数を十分に少なくすることができる。これにより、異物の除去や注油等の作業を実施する対象数が少数となる分だけ、メンテナンス作業を容易に実施することができる。また、可動部の数が少ないことで、草刈り鋏全体としての部品点数を少なくすることができる結果、その製造コストを十分に低減することができきる。
【００１２】
また、請求項２記載の草刈り鋏によれば、第１連結部を第１刃部から取り外し可能に構成すると共に、第２連結部を第２刃部から取り外し可能に構成したこにより、刃こぼれや錆などが生じたときに、両連結部から鋏本体を取り外して、研ぎ出しや錆落とし等の作業を容易に実施することができる。また、携行や保管に際して両連結部から鋏本体を取り外しておくことで草刈り鋏を十分に小さくすることができる。
【図面の簡単な説明】
【００１３】
【図１】草刈り鋏１の側面図である。
【図２】草刈り鋏１の平面図である。
【図３】鋏本体２単体の平面図である。
【図４】鋏本体２から連結部４および操作部３を取り外した状態の側面図である。
【図５】草刈り鋏１の構成について説明するための説明図である。
【図６】草刈り鋏１Ａの構成について説明するための説明図である。
【発明を実施するための形態】
【００１４】
以下、本発明に係る草刈り鋏の実施の形態について、添付図面を参照して説明する。
【００１５】
図１，２に示す草刈り鋏１は、「草刈り鋏」の一例であって、後述するように、立ち姿勢で草木の刈り取り作業を実施することができるように構成されている。具体的には、草刈り鋏１は、鋏本体２、操作部３および連結部４を備えて構成されている。鋏本体２は、図３に示すように、「第１刃部」に相当する刃部１１ａと、「第２刃部」に相当する刃部１１ｂとが「第１軸部」に相当する軸部１２によって軸支されると共に、軸部１２の軸中心と直交する第１仮想平面Ｆ１（図５参照）に沿って両刃部１１ａ，１１ｂを開閉させることができるように構成されている。具体的には、本例の草刈り鋏１では、鋏本体２が「第１種てこ」の構成を有する洋式鋏型に形成されており、軸部１２を支点とし、鋏本体２（刃部１１ａ，１１ｂ）の刃先を作用点とし、後述するように連結部４を介して操作部３が連結される部位を力点としたときに、力点、支点および作用点がこの順で並ぶように構成されている。
【００１６】
操作部３は、図１，２に示すように、「第１取っ手部」に相当する取っ手部２１ａと、「第２取っ手部」に相当する取っ手部２１ｂとが「第２軸部」に相当する軸部２４によって軸支されると共に、軸部２４の軸中心と直交し、かつ上記の第１仮想平面Ｆ１と平行な第２仮想平面Ｆ２（図５参照）に沿って両取っ手部２１ａ，２１ｂを開閉させることができるように構成されている。この場合、本例の草刈り鋏１では、一例として、連結部４を構成するパイプ３１ａの上端部側部位を折り曲げてグリップ２２ａを取り付けると共にリンク用プレート２３ａを溶接することで取っ手部２１ａが構成され、連結部４を構成するパイプ３１ｂの上端部側部位を折り曲げてグリップ２２ｂを取り付けると共にリンク用プレート２３ｂを溶接することで取っ手部２１ｂが構成されている。
【００１７】
連結部４は、「第１連結部」に相当するパイプ３１ａと、「第２連結部」に相当するパイプ３１ｂとを備えて構成されている。この場合、本例の草刈り鋏１では、一例として、上記の第１仮想平面Ｆ１および第２仮想平面Ｆ２と直交する向き（「交差する向き」の一例）に沿って連結部４（両パイプ３１ａ，３１ｂ）が配設されると共に、パイプ３１ａの下端部に溶接されてパイプ３１ａと一体化された固定用プレート３２ａが刃部１１ａに固定され、かつ、パイプ３１ｂの下端部に溶接されてパイプ３１ｂと一体化された固定用プレート３２ｂが刃部１１ｂに固定されている。また、本例の草刈り鋏１では、上記したように、連結部４（「第１連結部」および「第２連結部」）を構成するパイプ３１ａ，３１ｂの上端部側を折り曲げることで取っ手部２１ａ，２１ｂの一部が形成されており、これにより、「第１連結部」の上端部が取っ手部２１ａに一体的に連結され、かつ、「第２連結部」の上端部が取っ手部２１ｂに一体的に連結されている。
【００１８】
さらに、本例の草刈り鋏１では、図１に示すように、軸部１２の軸中心と軸部２４の軸中心とが単一の軸線Ｌ上に位置するように鋏本体２および操作部３が配置されて連結部４（パイプ３１ａ，３１ｂ）によって連結されている。また、この草刈り鋏１では、図１，４に示すように、ネジ５ａ、ワッシャ５ｂおよびナット５ｃによって、パイプ３１ａが固定用プレート３２ａを介して刃部１１ａに対して取り外し可能に固定され、かつ、パイプ３１ｂが固定用プレート３２ｂを介して刃部１１ｂに対して取り外し可能に固定されている（「第１連結部が第１刃部から取り外し可能に第１刃部に固定されると共に、第２連結部が第２刃部から取り外し可能に第２刃部に固定されている」との構成の一例）。
【００１９】
この草刈り鋏１による草木の刈り取り作業に際しては、まず、操作部３における両取っ手部２１ａ，２１ｂのグリップ２２ａ，２２ｂを左右の手でそれぞれ握って草刈り鋏１を保持すると共に、草木が生えている地面に沿って鋏本体２を草木の根元に位置させる。この場合、この草刈り鋏１は、立ち姿勢の成人が両手を下げた状態において両肘が位置する高さと同程度の高さＨ（図１参照）となるように連結部４の長さが規定されている。したがって、この草刈り鋏１では、成人が立ち姿勢で草刈り鋏１を保持して鋏本体２を草木の根元（すなわち、地面に上）に位置させることにより、両取っ手部２１ａ，２１ｂのグリップ２２ａ，２２ｂを握っている手から肘までの部位が地面とほぼ平行となり、自然な作業姿勢が形成される。
【００２０】
次いで、軸部２４を回動中心として図５に示す矢印Ａ１の向きで取っ手部２１ａ，２１ｂを第２仮想平面Ｆ２に沿って開状態に操作する（両グリップ２２ａ，２２ｂを互いに離間させる）。この際には、連結部４（パイプ３１ａ，３１ｂ）を介して操作部３（取っ手部２１ａ，２１ｂ）に連結されている鋏本体２の刃部１１ａ，１１ｂが、軸部１２を回動中心として矢印Ｂ１の向きで第１仮想平面Ｆ１に沿って開状態に操作される結果、刃部１１ａ，１１ｂの両刃先が互いに離間した状態となる。
【００２１】
続いて、刈り取るべき草木が刃部１１ａ，１１ｂの両刃先の間に進入するように鋏本体２を移動させた後に、軸部２４を回動中心として図５に示す矢印Ａ２の向きで取っ手部２１ａ，２１ｂを第２仮想平面Ｆ２に沿って閉状態に操作する（両グリップ２２ａ，２２ｂを互いに接近させる）。この際には、連結部４を介して操作部３に連結されている鋏本体２の刃部１１ａ，１１ｂが、軸部１２を回動中心として矢印Ｂ２の向きで第１仮想平面Ｆ１に沿って閉状態に操作される結果、刃部１１ａ，１１ｂの両刃先の間に進入させた草木が切断される。この後、操作部３（取っ手部２１ａ，２１ｂ）の開状態への操作、鋏本体２の移動（両刃先間への草木の進入）、および操作部３の閉状態への操作をこの順で繰り返して実行することにより、草木が順次刈り取られる。
【００２２】
この場合、この草刈り鋏１では、刃部１１ａ，１１ｂを軸支している軸部１２の軸中心と、取っ手部２１ａ，２１ｂを軸支している軸部２４の軸中心とが単一の軸線Ｌ上に位置するように構成されている。したがって、この草刈り鋏１では、図５に破線で示すように、リンク用プレート２３ａの延在方向に存在する仮想の刃部１１ａと、リンク用プレート２３ｂの延在方向に存在する仮想の刃部１１ｂとを直接開閉させるような操作感覚で実際の刃部１１ａ，１１ｂを開閉させることが可能となっている。これにより、この種の器具の操作に不慣れな利用者であっても容易に草木を刈り取ることが可能となっている。
【００２３】
また、この草刈り鋏１では、刃部１１ａ，１１ｂを開閉させる第１仮想平面Ｆ１と、取っ手部２１ａ，２１ｂを開閉させる第２仮想平面Ｆ２とが互いに平行で、かつ、上記したように、両軸部１２，２４の軸中心が単一の軸線Ｌ上に位置するように構成されている。したがって、この草刈り鋏１では、正面視において連結部４（パイプ３１ａ，３１ｂ）と、鋏本体２（刃部１１ａ，１１ｂ）とのなす角度を変化させることなく、鋏本体２および操作部３を開状態から閉状態、または閉状態から開状態に操作することが可能となっており、鋏本体２と連結部４との連結部分（固定部分）に、可動部（異物の付着や油分の減少に伴って摺動抵抗が大きくなる要素）が存在しない構成となっている。このため、草刈り作業によって、草刈り鋏１に異物が付着したり、注油した油分が減少したりしたときには、刃部１１ａ，１１ｂを軸支している軸部１２や、取っ手部２１ａ，２１ｂを軸支している軸部２４の近傍だけを清掃して注油することで、鋏本体２や操作部３をスムーズに開閉できる状態を維持することが可能となっている。
【００２４】
一方、草刈り作業時に石等を挟み込むなどして刃部１１ａ，１１ｂに刃こぼれが生じたときや、刃部１１ａ，１１ｂに錆が生じたときには、まず、ネジ５ａに対するナット５ｃの締め付けを解除して、連結部４（固定用プレート３２ａ，３２ｂ）から刃部１１ａ，１１ｂを取り外す。これにより、連結部４や操作部３が邪魔となることなく、刃部１１ａ，１１ｂの研ぎ出しや錆落としの作業を実施することが可能となる。また、作業が完了したときには、ネジ５ａ、ワッシャ５ｂおよびナット５ｃによって両刃部１１ａ，１１ｂを固定用プレート３２ａ，３２ｂにそれぞれ固定する。これにより、草刈り作業を実施できる状態となる。
【００２５】
このように、この草刈り鋏１によれば、刃部１１ａ，１１ｂを軸支する軸部１２の軸中心と、グリップ２２ａ，２２ｂを軸支する軸部２４の軸中心とが単一の軸線Ｌ上に位置するように鋏本体２および操作部３を配置して連結部４（パイプ３１ａ，３１ｂ）によって連結したことにより、鋏本体２および操作部３が開状態および閉状態の両状態において、正面視におけるパイプ３１ａ，３１ｂと刃部１１ａ，１１ｂとのなす角度が変化しないため、鋏本体２に対する連結部４の固定部位に可動部を設ける必要がなくなる結果、草刈り鋏１全体としての可動部の数を十分に少なくすることができる。これにより、異物の除去や注油等の作業を実施する対象数が少数となる分だけ、メンテナンス作業を容易に実施することができる。また、可動部の数が少ないことで、草刈り鋏１全体としての部品点数を少なくすることができる結果、その製造コストを十分に低減することができきる。
【００２６】
また、この草刈り鋏１によれば、パイプ３１ａを刃部１１ａから取り外し可能に構成すると共に、パイプ３１ｂを刃部１１ｂから取り外し可能に構成したこにより、刃こぼれや錆などが生じたときに、連結部４から鋏本体２を取り外して、研ぎ出しや錆落とし等の作業を容易に実施することができる。また、携行や保管に際して連結部４から鋏本体２を取り外しておくことで草刈り鋏１を十分に小さくすることができる。
【００２７】
なお、「草刈り鋏」の構成は、上記の草刈り鋏１の構成に限定されない。例えば、洋式鋏型の鋏本体２を有する草刈り鋏１を例に挙げて説明したが、図６に示す草刈り鋏１Ａのように、和式鋏型の鋏本体２ａを備えて構成することもできる。この草刈り鋏１Ａは、「草刈り鋏」の他の一例であって、前述した草刈り鋏１と同様にして、立ち姿勢で草木の刈り取り作業を実施することができるように構成されている。具体的には、草刈り鋏１Ａは、草刈り鋏１における鋏本体２に代えて鋏本体２ａを備えると共に、草刈り鋏１における操作部３に代えて操作部３ａを備えて構成されている。なお、前述した草刈り鋏１と同様の構成要素については、同一の符号を付して重複する説明を省略する。
【００２８】
鋏本体２ａは、「第１刃部」に相当する刃部４１ａと、「第２刃部」に相当する刃部４１ｂとが「第１軸部」に相当する軸部４２によって軸支されると共に、軸部４２の軸中心と直交する第１仮想平面Ｆ１に沿って両刃部４１ａ，４１ｂを開閉させることができるように構成されている。具体的には、本例の草刈り鋏１Ａでは、鋏本体２ａが「第３種てこ」の構成を有する和式鋏型に形成されており、軸部４２を支点とし、鋏本体２ａ（刃部４１ａ，４１ｂ）の刃先を作用点とし、後述するように連結部４を介して操作部３ａが連結される部位を力点としたときに、支点、力点および作用点がこの順で並ぶように構成されている。
【００２９】
操作部３ａは、「第１取っ手部」に相当する取っ手部５１ａと、「第２取っ手部」に相当する取っ手部５１ｂとが「第２軸部」に相当する軸部５４によって軸支されると共に、軸部５４の軸中心と直交し、かつ上記の第１仮想平面Ｆ１と平行な第２仮想平面Ｆ２に沿って両取っ手部５１ａ，５１ｂを開閉させることができるように構成されている。この場合、本例の草刈り鋏１Ａでは、一例として、連結部４を構成するパイプ３１ａの上端部側部位を折り曲げてグリップ２２ａを取り付けると共にリンク用プレート５３ａを溶接することで取っ手部５１ａが構成され、連結部４を構成するパイプ３１ｂの上端部側部位を折り曲げてグリップ２２ｂを取り付けると共にリンク用プレート５３ｂを溶接することで取っ手部５１ｂが構成されている。なお、上記の操作部３ａの構成に代えて、リンク用プレート５３ａにグリップ２２ａを取り付けて「第１取っ手部」とすると共にリンク用プレート５３ｂにグリップ２２ｂを取り付けて「第２取っ手部」とする構成を採用することもできる。
【００３０】
また、この草刈り鋏１Ａでは、一例として、上記の第１仮想平面Ｆ１および第２仮想平面Ｆ２と直交する向き（「交差する向き」の一例）に沿って連結部４（両パイプ３１ａ，３１ｂ）が配設されると共に、パイプ３１ａの下端部に溶接されてパイプ３１ａと一体化された固定用プレート（図示せず）がネジ、ワッシャおよびナット（共に図示せず）によって刃部４１ａに固定され、かつ、パイプ３１ｂの下端部に溶接されてパイプ３１ｂと一体化された固定用プレート（図示せず）がネジ、ワッシャおよびナット（共に図示せず）によって刃部４１ｂに固定されている。さらに、この草刈り鋏１Ａでは、軸部４２の軸中心と鋏本体２ａの軸中心とが単一の軸線Ｌ上に位置するように鋏本体２ａおよび操作部３ａが配置されて連結部４（パイプ３１ａ，３１ｂ）によって連結されている。
【００３１】
この草刈り鋏１Ａによる草木の刈り取り作業に際しては、まず、操作部３ａにおける両取っ手部５１ａ，５１ｂのグリップ２２ａ，２２ｂを左右の手でそれぞれ握って草刈り鋏１Ａを保持すると共に、草木が生えている地面に沿って鋏本体２ａを草木の根元に位置させる。この場合、この草刈り鋏１Ａは、立ち姿勢の成人が両手を下げた状態において両肘が位置する高さと同程度の高さとなるように連結部４の長さが規定されている。したがって、この草刈り鋏１Ａでは、前述した草刈り鋏１と同様にして、成人が立ち姿勢で草刈り鋏１Ａを保持して鋏本体２ａを草木の根元（すなわち、地面に上）に位置させることにより、両取っ手部５１ａ，５１ｂのグリップ２２ａ，２２ｂを握っている手から肘までの部位が地面とほぼ平行となり、自然な作業姿勢が形成される。
【００３２】
次いで、軸部５４を回動中心として矢印Ａ１の向きで取っ手部５１ａ，５１ｂを第２仮想平面Ｆ２に沿って開状態に操作する（両グリップ２２ａ，２２ｂを互いに離間させる）。この際には、連結部４（パイプ３１ａ，３１ｂ）を介して操作部３ａ（取っ手部５１ａ，５１ｂ）に連結されている鋏本体２ａの刃部４１ａ，４１ｂが、軸部４２を回動中心として矢印Ｂ１の向きで第１仮想平面Ｆ１に沿って開状態に操作される結果、刃部４１ａ，４１ｂの両刃先が互いに離間した状態となる。
【００３３】
続いて、刈り取るべき草木が刃部４１ａ，４１ｂの両刃先の間に進入するように鋏本体２ａを移動させた後に、軸部５４を回動中心として矢印Ａ２の向きで取っ手部５１ａ，５１ｂを第２仮想平面Ｆ２に沿って閉状態に操作する（両グリップ２２ａ，２２ｂを互いに接近させる）。この際には、連結部４を介して操作部３ａに連結されている鋏本体２ａの刃部４１ａ，４１ｂが、軸部４２を回動中心として矢印Ｂ２の向きで第１仮想平面Ｆ１に沿って閉状態に操作される結果、刃部４１ａ，４１ｂの両刃先の間に進入させた草木が切断される。この後、操作部３ａ（取っ手部５１ａ，５１ｂ）の開状態への操作、鋏本体２ａの移動（両刃先間への草木の進入）、および操作部３ａの閉状態への操作をこの順で繰り返して実行することにより、草木が順次刈り取られる。
【００３４】
この草刈り鋏１Ａによれば、前述した草刈り鋏１と同様にして、鋏本体２ａおよび操作部３ａが開状態および閉状態の両状態において、正面視におけるパイプ３１ａ，３１ｂと刃部４１ａ，４１ｂとのなす角度が変化しないため、鋏本体２ａに対する連結部４の固定部位に可動部を設ける必要がなくなる結果、草刈り鋏１Ａ全体としての可動部の数を十分に少なくすることができる。これにより、異物の除去や注油等の作業を実施する対象数が少数となる分だけ、メンテナンス作業を容易に実施することができる。また、可動部の数が少ないことで、草刈り鋏１Ａ全体としての部品点数を少なくすることができる結果、その製造コストを十分に低減することができきる。
【００３５】
また、この草刈り鋏１Ａによれば、前述した草刈り鋏１と同様にして、パイプ３１ａを刃部４１ａから取り外し可能に構成すると共に、パイプ３１ｂを刃部４１ｂから取り外し可能に構成したこにより、刃こぼれや錆などが生じたときに、連結部４から鋏本体２ａを取り外して、研ぎ出しや錆落とし等の作業を容易に実施することができる。また、携行や保管に際して連結部４から鋏本体２ａを取り外しておくことで草刈り鋏１Ａを十分に小さくすることができる。
【符号の説明】
【００３６】
１，１Ａ  草刈り鋏
２，２ａ  鋏本体
３，３ａ  操作部
４  連結部
５ａ  ネジ
５ｂ  ワッシャ
５ｃ  ナット  
１１ａ，１１ｂ，４１ａ，４１ｂ  刃部
１２，２４，４２，５４  軸部
２１ａ，２１ｂ，５１ａ，５１ｂ  取っ手部
２２ａ，２２ｂ  グリップ
２３ａ，２３ｂ，５３ａ，５３ｂ  リンク用プレート
３１ａ，３１ｂ  パイプ
３２ａ，３２ｂ  固定用
Ｆ１  第１仮想平面
Ｆ２  第２仮想平面
Ｌ  軸線
Ｈ  高さ
【図１】
0005570557.tif 000002
【図２】
0005570557.tif 000003
【図３】
0005570557.tif 000004
【図４】
0005570557.tif 000005
【図５】
0005570557.tif 000006
【図６】
0005570557.tif 000007